(57)【要約】【課題】布帛などのシートを接着剤を用いずに張設でき、布帛等のシートの展長が充分でき、表面に皺がよりにくく、施工の容易なシート貼りパネルを提供する。【解決手段】バックパネルの周縁部にフレームが設けられ、このフレームがバックパネルの縁部と係合する基部とこの基部に対して回動可能となされた回動部からなり、この回動部先端にシートの縁部が取り付けられ回動部の回動によりシートが引っ張られて展張されていることを特徴とするものであり、シートの展張が充分できるので、シートに皺がよりにくく、パネル表面が美麗である。又、接着剤を使わずにシートをパネル表面に設けることができるので、接着剤に含まれる溶剤による問題を回避することができる。【選択図】        図２
2006144368.tif 000002
【特許請求の範囲】
【請求項１】
バックパネルの周縁部にフレームが設けられ、このフレームがバックパネルの縁部と係合する基部とこの基部に対して回動可能となされた回動部からなり、この回動部先端にシートの縁部が取り付けられ回動部の回動によりシートが引っ張られて展張されていることを特徴とするシート張りパネル。
【請求項２】
バックパネルの周縁部にフレームが設けられ、相対する一対のフレームがバックパネルの縁部と係合する基部とこの基部に対して回動可能となされた回動部からなり、この回動部先端にシートの縁部が取り付けられ回動部の回動によりシートが引っ張られて展張されていることを特徴とするシート張りパネル。
【発明の詳細な説明】
【技術分野】
【０００１】
本発明は、建築物の内壁などに主として用いられるシート張りパネルに関し、特に布帛を接着剤を用いずに張設したパネルに関する。
【背景技術】
【０００２】
【特許文献１】特開２００３−３２８５２２号公報  従来、従来内装パネルの表面を布帛で被覆するために内装下地に接着剤で布帛を接着剤で貼設する工法が知られていた。この工法によると接着剤に含まれる溶剤が長期間に亘って揮出し、アレルギーを引き起こすなどの問題があった。又、特開２００３−３２８５２２号公報には、下地面に所要の距離をおいて固定した２組の長尺把持部材に端縁を係止して可撓性内装材を把持部材間に張設する緞子張り内装工法において、下地面に当接して固定する基板と、その基板から立ち上がった支板と、その支板から基板とは逆向きに折れ曲がって続く縁板と、支板と縁板によって構成されて逆Ｌ字状断面を成す突条畝にまれたスペースにおいて支板と縁板の交わる角部から離れる方向に端縁が支板又は縁板から突き出た爪板を、プラスチック押出成形によって一体成形して把持部材を構成し、 上記基板を下地面に当接して固定し、その基板から隆起して下地面から突き出る突条畝を、その下地面に交わる他の下地面、又は、その下地面から突設した他の部材に向かい合わせにし、その向かい合う突条畝の縁板および爪板とその他の下地面又は他の部材との間の差込溝と内溝に内装材の端縁を押し込んで係止する緞子張り内装工法が提案されている。
【発明の開示】
【発明が解決しようとする課題】
【０００３】
しかしながら上記の如き特開２００３−３２８５２２号公報に提案されている内装工法では、プラスチック押出成形によって一体成形された把持部材の強度が十分ではなく、布帛の展張が充分できずパネル表面の布帛に皺がよりやすいという問題があった。
【０００４】
そこで本発明者は従来の欠点に鑑み鋭意研究の結果、布帛などのシートを接着剤を用いずに張設でき、布帛等のシートの展長が充分でき、表面に皺がよりにくく、施工の容易なシート貼りパネルを提供する。
【課題を解決するための手段】
【０００５】
本発明請求項１記載のシート張りパネルは、バックパネルの周縁部にフレームが設けられ、このフレームがバックパネルの縁部と係合する基部とこの基部に対して回動可能となされた回動部からなり、この回動部先端にシートの縁部が取り付けられ回動部の回動によりシートが引っ張られて展張されていることを特徴とするものであり、シートの展張が充分できるので、シートに皺がよりにくい。
【０００６】
本発明請求項２記載のシート張りパネルは、バックパネルの周縁部にフレームが設けられ、相対する一対のフレームがバックパネルの縁部と係合する基部とこの基部に対して回動可能となされた回動部からなり、この回動部先端にシートの縁部が取り付けられ回動部の回動によりシートが引っ張られて展張されていることを特徴とするものであり、シートの展張が充分できるので、シートに皺がよりにくい。
【発明の効果】
【０００７】
上述の如く、本発明請求項１記載のシート張りパネルは、バックパネルの周縁部にフレームが設けられ、このフレームがバックパネルの縁部と係合する基部とこの基部に対して回動可能となされた回動部からなり、この回動部先端にシートの縁部が取り付けられ回動部の回動によりシートが引っ張られて展張されていることを特徴とするものであり、シートの展張が充分できるので、シートに皺がよりにくく、パネル表面が美麗である。又、接着剤を使わずにシートをパネル表面に設けることができるので、接着剤に含まれる溶剤による問題を回避することができる。
【０００８】
又、本発明請求項２記載のシート張りパネルは、バックパネルの周縁部にフレームが設けられ、相対する一対のフレームがバックパネルの縁部と係合する基部とこの基部に対して回動可能となされた回動部からなり、この回動部先端にシートの縁部が取り付けられ回動部の回動によりシートが引っ張られて展張されていることを特徴とするものであり、シートの展張が更に充分できるので、シートに皺がよりにくい。
【発明を実施するための最良の形態】
【０００９】
以下、図面を参照しながら本発明に付いて説明する。
図１は本発明シート張りパネルにおけるフレームの実施形態の一例を示す一部断面を透視した斜視図である。図に於いて１は第１のフレームであり、相対する縁部に一対設けられ、他の一対の縁部には第２のフレーム２が設けられている。これら４本のフレームは合板からなるバックパネル５の４縁部に設けられ、このバックパネル５上のグラスマットからなる下地材６上に布帛が張設されるようになされている。
【００１０】
図２は本発明における第１のフレーム１の作用を示すシート張りパネルの断面図であり、図３は第１のフレーム１の拡大断面図である。第１のフレーム１は基部１１と回動部１２とシート挟着部１３からなっている。基部１１はバックパネル５の縁部を挟持するようにしてバックパネル５の縁部に設けられ、このバックパネル５を挟持する挟持部１１１の反対側端部には後述する回動部１２の回動軸１２１を支持する回動軸受け１１２が設けられている。
【００１１】
基部１１の回動軸受け１１２には回動部１２の回動軸１２１が回動自在に取り付けられている。回動部１２の反対側端部には複数の突条１２２が表裏両面に設けられ、シート張りパネル表面に張設されるシート４の縁部が後述するシート挟着部１３の挟着溝１３１と協働して保持される。
【００１２】
図４は本発明における第２のフレーム２の作用を示すシート張りパネルの断面図である。第２のフレーム２は、第１のフレーム１の基部１１と同様にバックパネル５を挟持する挟持部２１を有し、この挟持部２１の反対側端部には、固定フレーム３と協働してシート縁部を固定する固定溝２２が形成されている。固定溝２２の内面には固定フレーム３の側壁に形成された嵌合溝と嵌合する嵌合突条が形成されている。固定フレーム３は断面コ字形で脚部の外壁に嵌合溝が形成されている。
【００１３】
次ぎに本発明におけるシート４の展張方法について図を基に説明する。図５に示す状態で回動部１２先端にシート４が掛けられ、シート挟着部１３でシート４を挟み込みシート４の縁部を固定する。次ぎに回動部１２を回して、図２の状態にするとシート４の縁部が引っ張られて弛みのない状態となる。挟持部２１の側壁には係合突部が形成されており、基部１１に設けられた突条に係合されて、図５の状態に戻ることがない。
【００１４】
本発明シート張りパネルにおけるフレームの材質は特に限定されるものではないが、アルミ合金押出型材が剛性に優れ、好適に用いられる。又、パネル表面のシート４としては合成繊維などの織物が特に好適に用いられる。先に記載した実施形態においては、バックパネル５上にグラスウールからなる下地材６を配設した例を示したが、下地材６は特に必要ではなく、吸音性などを付加させるために配設したものである。
【図面の簡単な説明】
【００１５】
【図１】本発明シート張りパネルにおけるフレームの実施形態の一例を示す一部断面を透視した斜視図である。
【図２】本発明における第１のフレームの作用を示すシート張りパネルの断面図である。
【図３】第１のフレームの拡大断面図である。
【図４】本発明における第２のフレームの作用を示すシート張りパネルの断面図である。
【図５】本発明における第１のフレームの作用を示すシートの展張前の状態のシート張りパネルの断面図である。
【符号の説明】
【００１６】
１    第１のフレーム
１１    基部
１１１    挟持部
１１２    回動軸受け
１２    回動部
１２１    回動軸
１２２    突条
１３    シート挟着部
１３１    挟着溝
２    第２のフレーム
２１    挟持部
２２    固定溝
３    固定フレーム
４    シート
５    バックパネル
６    下地材
【図１】
2006144368.tif 000003
【図２】
2006144368.tif 000004
【図３】
2006144368.tif 000005
【図４】
2006144368.tif 000006
【図５】
2006144368.tif 000007